(57)【要約】【課題】パネル本体部のリブの先端部と補強板部材との接合に用いる摩擦撹拌接合手段による接合のための時間を短縮することができるとともに、接合不良が発生せず確実に接合することができるフリーアクセスフロア用パネルを提供する。【解決手段】平板部４と、この平板部４の裏面側に一体的に形成される複数のリブ２６とを有するパネル本体部２２と、複数のリブ２６の先端部に接合される補強板部材２４とを備え、複数のリブ２６の全部又はいずれかの先端部に突起部２６ｂが形成され、補強板部材２４と突起部２６ｂとが摩擦撹拌接合手段により接合されるようにした【効果】フリーアクセスフロア用パネルのパネル本体部のリブの先端部と補強板部材との接合に用いる摩擦撹拌接合手段による接合のための時間を短縮することができるとともに、接合不良が発生せず確実に接合することができる。【選択図】図３
2010101063.tif 000002
【特許請求の範囲】
【請求項１】
平板部と、この平板部の裏面側に一体的に形成される複数のリブとを有するパネル本体部と、
前記複数のリブの先端部に接合される補強板部材とを備え、
前記複数のリブの全部又はいずれかの先端部に突起部が形成され、
前記補強板部材と前記突起部とが摩擦撹拌接合手段により接合されるようにした
ことを特徴とするフリーアクセスフロア用パネル。
【請求項２】
前記突起部が、前記リブの厚さ方向の一方の端部に形成されたことを特徴とする請求項１に記載のフリーアクセスフロア用パネル。
【請求項３】
前記突起部が、前記リブの厚さ方向の中央部に形成されたことを特徴とする請求項１に記載のフリーアクセスフロア用パネル。
【発明の詳細な説明】
【技術分野】
【０００１】
本発明は、クリーンルームや電算室等の部屋の床部に敷設されるフリーアクセスフロアの床面を形成するフリーアクセスフロア用パネルに関するものである。
【背景技術】
【０００２】
図１１は、従来のフリーアクセスフロア用パネル２（以下、パネル２と呼ぶこともある）を示す底面図であって、図１２は、図１１に示すパネル２のＡ−Ａ線矢視断面図である（例えば、特許文献１参照）。
【０００３】
このパネル２は、図１２に示す姿勢とは上下方向を逆向きにして使用され、不図示の支持脚により所定の高さで水平に支持された状態を保持し、クリーンルームや電算室等の部屋の床面を形成するように並べて敷設される。このことにより、このパネル２と、その下方のコンクリートの下地床面との間の空間に配管や配線を通すことができる、フリーアクセスフロアを形成するようになっている。
【０００４】
この従来のパネル２は、図１１及び図１２に示すように、パネル本体部１２と補強板部材１４とを備えて構成されている。この従来のパネル２のパネル本体部１２は、その材質がアルミニウム合金であるダイカスト製品であって、フリーアクセスフロアの床面を形成する平板部４と、この平板部４の裏面側（図１１中においては紙面に垂直方向の手前側、図１２中においては上側）に一体的に形成される複数のリブ６を備えて構成されている。複数のリブ６のそれぞれは、平板部４の平面形状に沿って伸びるように形成され、図１１に示すように格子状に配置されている。
【０００５】
また、この従来のパネル２の補強板部材１４は、アルミニウム合金製の板状の素材から正方形に切取って形成したものであって、そのパネル本体部１２側の面が、複数のリブ６のそれぞれの先端面に接触し、この複数のリブ６の先端面に接着又は溶接により接合されている。
【０００６】
また、この従来のパネル２は、そのパネル本体部１２の複数のリブ６と補強板部材１４との接合は、後述するような、摩擦撹拌接合手段（Ｆｒｉｃｔｉｏｎ  Ｓｔｉｒ  Ｗｅｌｄｉｎｇ）により行なわれるようになっていてもよい。
【０００７】
ここで、摩擦撹拌接合手段とは、例えば、特許文献２及び３に記載されているように、略円柱状の部分と、その先端面から軸線上に突出するネジ棒状の突起部（以下、プローブと呼ぶ）とを有する形状の工具を、その軸線回りに回転させながら接合部材同士の接合部分又はその近傍部にほぼ垂直に押し付けることにより、摩擦熱で接合部材を液状化手前まで軟化させると共に、この軟化した接合部材内に工具の前記プローブが入り込んで撹拌作用による塑性流動を生じさせ、接合部材同士の接合部分の金属組織を練り混ぜることにより一体化させて、温度降下により固化する接合手段をいう。
【０００８】
従来のパネル２について、そのパネル本体部１２の複数のリブ６と補強板部材１４とを摩擦撹拌接合手段により接合する場合には、その接合作業の際に、パネル２は、図１２に示すように、その表裏面の上下方向の向きが使用時のときとは逆向きの状態（パネル本体部１２の上側に補強板部材１４が配置された状態）にされ、摩擦撹拌接合を行なう不図示の装置の加工用テーブル上に固定される。
【０００９】
そして、補強板部材１４におけるパネル本体部１２とは反対側の面における、その裏側（パネル本体部１２側）に存在するリブ６に対応する位置に、摩擦撹拌接合を行なう不図示の装置の回転する工具のプローブが上方から押し当てられて、このプローブが補強板部材１４を摩擦熱により軟化させてリブ６に向かって潜り込み、リブ６の先端部（高さ方向の先端部。以下同じ）に迄到達して境界部周辺を軟化させた後、このプローブがリブ６の水平に伸びる方向に相対移動していくことにより摩擦撹拌接合が行なわれる。
【特許文献１】実開昭６３−９４２４１号公報
【特許文献２】特許第２７１２８３８号公報
【特許文献３】特許第２７９２２３３号公報
【発明の開示】
【発明が解決しようとする課題】
【００１０】
しかしながら、上述したような従来のフリーアクセスフロア用パネル２においては、そのパネル本体部１２のリブ６と補強板部材１４とを摩擦撹拌接合手段により接合しようとする場合には、補強板部材１４がその厚さが大きいものである場合に、この補強板部材１４における摩擦撹拌接合を行なう不図示の装置のプローブが押し当てられた位置から、摩擦熱による軟化が徐々に拡大していくのに時間を要するので、補強板部材１４のプローブと反対側のリブ６の先端部が軟化し始めるまでの時間が長くなるため、摩擦撹拌接合手段による接合のための時間が長くなるという問題があり、また、その際に接合不良が発生しやすくなるという問題があった。
【００１１】
そこで本発明は、上記問題点に鑑みて、パネル本体部のリブの先端部と補強板部材との接合に用いる摩擦撹拌接合手段による接合のための時間を短縮することができるとともに、接合不良が発生せず確実に接合することができるフリーアクセスフロア用パネルを提供することを課題とするものである。
【課題を解決するための手段】
【００１２】
上記課題を解決するために、本発明によるフリーアクセスフロア用パネルは、
平板部と、この平板部の裏面側に一体的に形成される複数のリブとを有するパネル本体部と、
前記複数のリブの先端部に接合される補強板部材とを備え、
前記複数のリブの全部又はいずれかの先端部に突起部が形成され、
前記補強板部材と前記突起部とが摩擦撹拌接合手段により接合されるようにしたことを特徴とするものである。
【００１３】
また、本発明によるフリーアクセスフロア用パネルは、前記突起部が、前記リブの厚さ方向の一方の端部に形成されたことを特徴とするものである。
【００１４】
また、本発明によるフリーアクセスフロア用パネルは、前記突起部が、前記リブの厚さ方向の中央部に形成されたことを特徴とするものである。
【発明の効果】
【００１５】
このような本発明に係るフリーアクセスフロア用パネルによれば、
平板部と、この平板部の裏面側に一体的に形成される複数のリブとを有するパネル本体部と、
前記複数のリブの先端部に接合される補強板部材とを備え、
前記複数のリブの全部又はいずれかの先端部に突起部が形成され、
前記補強板部材と前記突起部とが摩擦撹拌接合手段により接合されるようにしたことにより、
リブの先端部と補強板部材との接合に用いる摩擦撹拌接合手段による接合のための時間を短縮することができるとともに、接合不良が発生せず確実に接合することができる。
【００１６】
また、本発明に係るフリーアクセスフロア用パネルによれば、
前記突起部が、前記リブの厚さ方向の一方の端部に形成されたことにより、
このような突起部を上記補強板部材の縁部分に接合させる作業の際に、その接合のための時間が長くなってしまうことを防止することができる。
【００１７】
また、本発明に係るフリーアクセスフロア用パネルによれば、
前記突起部が、前記リブの厚さ方向の中央部に形成されたことにより、
このような突起部を、上記補強板部材の縁部分以外の部分に接合させる作業の際に、その接合のための時間が長くなってしまうことを防止することができる。
【発明を実施するための最良の形態】
【００１８】
以下、本発明に係るフリーアクセスフロア用パネルを実施するための最良の形態について、図面に基づいて具体的に説明する。
図１から図４は、本発明の第１の実施の形態に係るフリーアクセスフロア用パネル２０について説明するために参照する図である。従来と同様の部分には同じ符号を用いて説明し、従来と同様の構成についての重複する説明はできるだけ省略するものとする。
【００１９】
本実施の形態に係るフリーアクセスフロア用パネル２０（以下、パネル２０と呼ぶこともある）は、アルミニウム合金製で、図１及び図２に示すように、パネル本体部２２と補強板部材２４とを備えている。
【００２０】
このパネル２０のパネル本体部２２は、フリーアクセスフロアの床面を形成する平板部４と、この平板部４の裏面側（図１中においては紙面に垂直方向の手前側、図２中においては上側）に高さを有して一体的に形成される、それぞれ複数の第１リブ２６と第２リブ２８を備えて構成されている。
【００２１】
第１リブ２６は、図１に示すように、平板部４の四辺のそれぞれに沿って伸びるように４本のものが形成され、このように形成された４本の外周が正方形を形成するようになっている。また、第２リブ２８のそれぞれは、上記４本の第１リブ２６の内側の範囲内において、縦横２方向に伸びて互いに交差するように形成され、図１に示すように格子状に配置されている。
【００２２】
このような、パネル２０におけるパネル本体部２２の複数のリブ２６，２８の先端部と補強板部材２４とは、前記摩擦撹拌接合手段により互いに接合されている。このようにパネル本体部２２の複数のリブ２６，２８と補強板部材２４とは、前記摩擦撹拌接合手段により互いに接合された後においては、そのような接合箇所において互いの金属組織が混ざり合うようになるため、実際には、互いの境界線を定めることができなくなるのかもしれないが、便宜上、図１から図４に示すように、これら複数のリブ２６，２８と補強板部材２４との境界線が存在するものとして、このような境界線についても、他の通常の輪郭線と同様に、実線又は破線で示すこととする。
【００２３】
パネル２０におけるパネル本体部２２の第１リブ２６には、図３に示すように、その高さ方向（図３中、上下方向）の先端部に、補強板部材２４における平板部４側（図３中、下側）の面２４ａと互いに接触する水平接触面２６ａと、この第１リブ２６の高さ方向において水平接触面２６ａよりも平板部４と反対側に突出する突起部２６ｂとが形成されている。
【００２４】
第１リブ２６の突起部２６ｂは、第１リブ２６の厚さ（図３中、寸法ｔ１）よりも薄い厚さ（図３中、寸法ｔ２）で補強板部材２４の厚さと同じ寸法の高さだけ突出するように形成されている。また、この突起部２６ｂは、図１に示すように、パネル本体部２２の４辺の第１リブ２６のそれぞれにおける長さ方向の範囲全体にわたって形成され、図３に示すように、第１リブ２６それぞれの厚さ方向の外周側（図中右側）の端部に形成されている。
【００２５】
パネル２０の補強板部材２４は、このような突起部２６ｂのそれぞれにおける長さ方向の端部同士がつながって形成される四角枠の内側に嵌まり込んでいる。そして、この補強板部材２４と第１リブ２６との間の摩擦撹拌接合による接合は、図３に示すように、補強板部材２４の周縁部と第１リブ２６における突起部２６ｂとの境界、又はその近傍の補強板部材２４に、図３中上方から摩擦撹拌接合を行なう不図示の装置の回転する工具のプローブが図３中下方に押し当てられることにより行なわれる。
【００２６】
また、パネル２０には、図４に示すように、そのパネル本体部２２の第２リブ２８における高さ方向（図４中、上方向）の先端部に、補強板部材２４における平板部４側（図４中、下側）の面２４ａと互いに接触する水平接触面２８ａと、この第２リブ２８の高さ方向において水平接触面２８ａよりも平板部４と反対側に突出する突起部２８ｂとが形成されている。
【００２７】
第２リブ２８の突起部２８ｂは、この第２リブ２８の長さ方向（図４中、紙面に垂直の方向）の範囲全体にわたり形成されると共に、第２リブ２８の厚さ方向（図４中、左右方向）の中央部に、第２リブ２８の厚さ（図４中、寸法ｔ３）よりも薄い厚さ（図４中、寸法ｔ４）に形成されている。
【００２８】
また、このような突起部２８ｂは、補強板部材２４に形成されている溝２４ｂに嵌合するようになっている。補強板部材２４と第２リブ２８との間の摩擦撹拌接合手段による接合は、補強板部材２４の面２４ａとは反対側の面２４ｃにおける、第２リブ２８の突起部２８ｂに対応する位置に、その上方から摩擦撹拌接合を行なう不図示の装置の回転する工具のプローブが下方に向かって押し当てられることにより行なわれる。
【００２９】
このような第１の実施の形態に係るフリーアクセスフロア用パネル２０によれば、図３に示すように、そのパネル本体部２２の第１リブ２６と補強板部材２４とを、摩擦撹拌接合手段により接合する際には、補強板部材２４だけでなく、第１リブ２６の突起部２６ｂに対しても、摩擦撹拌接合を行なう不図示の装置の回転する工具のプローブを同時に押し当てることができるようになるので、第１リブ２６の先端部が早期に軟化を開始するようになるため、パネル本体部２２の第１リブ２６の先端部と補強板部材２４との接合に用いる摩擦撹拌接合手段による接合のための時間を短縮することができるとともに、接合不良が発生せず確実に接合することができる。
【００３０】
また、図４に示すように、パネル本体部２２の第２リブ２８の先端部と補強板部材２４とを、摩擦撹拌接合手段により接合する際には、第２リブ２８の突起部２８ｂの先端部が、これに対応する補強板部材２４が部分的に薄くなっていることにより、不図示の摩擦撹拌接合を行なう装置のプローブが押し当てられる側の面２４ｃに接近しているので、第２リブ２８の先端部が早期に軟化を開始するようになる。このため、パネル本体部２２の第２リブ２８の先端部と補強板部材２４との接合に用いる摩擦撹拌接合手段による接合のための時間を短縮することができるとともに、接合不良が発生せず確実に接合することができる。
【００３１】
次に、図５から図８は、本発明の第２の実施の形態に係るフリーアクセスフロア用パネル３０（以下、パネル３０と呼ぶこともある）について説明するために参照する図である。前記第１の実施の形態に係るフリーアクセスフロア用パネル２０と同様の部分には同じ符号を用いて説明し、同様の構成についての重複する説明はできるだけ省略するものとする。
【００３２】
また、図６は、図５に示すパネル３０のＣ−Ｃ線矢視断面図であるが、図５中のＤ−Ｄ線で切断した断面図も、図６に示すＣ−Ｃ線矢視断面図の形状と全く同じ形状として表されるので、Ｄ−Ｄ線矢視断面図は省略するものとする。
【００３３】
本実施の形態に係るフリーアクセスフロア用パネル３０は、図５及び図６に示すように、パネル本体部３２と補強板部材３４とを備えている。このパネル３０のパネル本体部３２は、その平板部４の裏面側（図５中においては紙面に垂直方向の手前側、図６中においては上側）に、前記第１の実施の形態に係るフリーアクセスフロア用パネル２０の第１リブ２６，第２リブ２８のそれぞれに相当する、複数の第１リブ３６，第２リブ３８を備えて構成されている。
【００３４】
複数の第２リブ３８のそれぞれの先端部には、図７に示すように、水平接触面３８ａと、突起部３８ｂが形成されている。この第２リブ３８の突起部３８ｂは、この第２リブ３８の厚さ方向（図７中、左右方向）の中央部に形成され、第２リブ３８の厚さ（図７中、寸法ｔ５）よりも薄い厚さ（図７中、寸法ｔ６）で、補強板部材３４の厚さと同じ寸法の高さだけ突出するように形成されている。
【００３５】
また、図５に示すように、複数の第２リブ３８のそれぞれの突起部３８ｂのうち、図５中において上下方向に伸びるように形成された第２リブ３８のそれぞれの突起部３８ｂは、その第２リブ３８の長さ方向の範囲の全体にわたり連続的に形成され、同図中において左右方向に伸びるように形成された第２リブ３８のそれぞれの突起部３８ｂは、その第２リブ３８の長さ方向の範囲内において、同図中の上下方向に伸びる複数の突起部３８ｂのそれぞれにより分断され、断続的に形成されるようになっている。
【００３６】
また、図８に示すように、パネル本体部３２の第１リブ３６のそれぞれの先端部には、上記した第２リブ３８における水平接触面３８ａと突起部３８ｂのそれぞれと同様の、水平接触面３６ａと突起部３６ｂが形成されている。
【００３７】
また、図５に示すように、この第１リブ３６のそれぞれの突起部３６ｂは、上記した第２リブ３８の突起部３８ｂと同様に、これらのうちの図５中の上下方向に伸びるように形成された第１リブ３６のそれぞれの突起部３６ｂが、その第１リブ３６の長さ方向の範囲の全体にわたり連続的に形成され、左右方向に伸びるように形成された第１リブ３６のそれぞれの突起部３６ｂが、その第１リブ３６の長さ方向の範囲内において、図中上下方向に伸びる第２リブ３８の突起部３８ｂのそれぞれにより分断され、断続的に形成されている。
【００３８】
また、補強板部材３４には、図５、図７及び図８に示すように、リブ３６，３８のそれぞれに形成された突起部３６ｂ，３８ｂのそれぞれが嵌合する、複数の溝孔３４ｂが形成されている。この複数の溝孔３４ｂのそれぞれは、図７及び図８に示すように、その幅寸法が、突起部３６ｂの厚さ（図７中の寸法ｔ６）、及び突起部３８ｂの厚さ（図８中の寸法ｔ８）と同じ大きさの幅となるように形成されている。
【００３９】
また、この複数の溝孔３４ｂのそれぞれは、図５に示すように、突起部３６ｂ，３８ｂのそれぞれに対応する位置に、これら突起部３６ｂ，３８ｂのそれぞれの長さと同じ長さで形成されている。この溝孔３４ｂのそれぞれは、補強板部材３４の厚さ方向に貫通するように形成されている。
【００４０】
このような第２の実施の形態に係るフリーアクセスフロア用パネル３０によれば、図７及び図８に示すように、そのパネル本体部３２のリブ３６，３８の先端部と補強板部材３４とを、摩擦撹拌接合手段により接合する際には、補強板部材３４だけでなく、リブ３６，３８の突起部３６ｂ，３８ｂに対しても、摩擦撹拌接合を行なう不図示の装置の回転する工具のプローブを同時に押し当てることができるようになるので、リブ３６，３８の先端部が早期に軟化を開始するようになる。このため、パネル本体部３２のリブ３６，３８の先端部と補強板部材３４との接合に用いる摩擦撹拌接合手段による接合のための時間を短縮することができるとともに、接合不良が発生せず確実に接合することができる。
【００４１】
次に、図９及び図１０は、本発明の第３の実施の形態に係るフリーアクセスフロア用パネル４０（以下、パネル４０と呼ぶこともある）について説明するために参照する図である。本実施の形態は、前記第１の実施の形態と基本的に共通するので、前記第１の実施の形態に係るフリーアクセスフロア用パネル２０と同様の部分には同じ符号を用いて説明し、同様の構成についての重複する説明はできるだけ省略するものとする。
【００４２】
本実施の形態に係るフリーアクセスフロア用パネル４０は、前記第１の実施の形態と同様に、図９及び図１０に示すように、平板部４と複数のリブ２６，２８を有するパネル本体部４２と、補強板部材４４とを備えている。
【００４３】
このパネル４０のパネル本体部４２においては、図９に示すように、同図中の上下方向に伸びるように形成されて、左右方向に互いに離れて平行に並ぶ複数の第２リブ２８のうちの中央の第２リブ２８の両隣りに形成された２本の第２リブ２８と、左右方向に伸びるように形成されて上下方向に互いに離れて平行に並ぶ複数の第２リブ２８のうちの中央の第２リブ２８の両隣りに形成された２本の第２リブ２８同士が、互いに対向する２本の第２リブ２８同士により挟み込まれる正方形の範囲内において、前記第１の実施の形態における図４に示したのと同様の、補強板部材４４を貫通しない突起部２８ｂが形成されないようになっている。
【００４４】
そして、このような正方形の上下方向及び左右方向のそれぞれの方向に伸びる２本ずつの第２リブ２８のそれぞれにおける長さ範囲には、突起部２８ｂに代わって、図１０に示すように、補強板部材４４を貫通する突起部２８ｃが形成されている。図９において上下方向及び左右方向に２本ずつ形成されて計４本形成される突起部２８ｃは、その両端部同士が繋がって四角枠状に形成されている。
【００４５】
これら突起部２８ｃのそれぞれは、この突起部２８ｃが形成される第２リブ２８のそれぞれにおける厚さ方向の内周側の端部に形成されている。また、突起部２８ｃのそれぞれは、図１０に示すように、その高さ方向に、補強板部材４４の厚さと同じ高さ分だけ突出するように形成されている。
【００４６】
また、パネル本体部４２は、図９に示すように、この４本の突起部２８ｃで形成される四角枠の内側において、第２リブ２８の先端部に突起部２８ｂ，２８ｃが形成されないようになっている。
【００４７】
また、パネル４０の補強板部材４４には、その中央部に開口部４４ｄが形成されている。この補強板部材４４の開口部４４ｄは、パネル本体部４２の４本の突起部２８ｃにより形成される四角枠の外周に嵌合するようになっている。
【００４８】
また、この第３の実施の形態においても、第１リブ２６の突起部２６ｂが、第１リブ２６の厚さ（図３中、寸法ｔ１）よりも薄い厚さ（図３中、寸法ｔ２）で補強板部材４４の厚さと同じ寸法の高さだけ突出するように形成されている。そしてこの突起部２６ｂは、図９に示すように、パネル本体部４２の４辺の第１リブ２６のそれぞれにおける長さ方向の範囲全体にわたって形成され、図１０に示すように、第１リブ２６それぞれの厚さ方向の外周側（図中左右両側）の端部に形成されている。
【００４９】
このため、パネル４０の補強板部材４４も、このような突起部２６ｂのそれぞれにおける長さ方向の端部同士がつながって形成される四角枠の内側に嵌まり込んでいる。
【００５０】
このような第３の実施の形態に係るパネル４０によれば、前記第１の実施の形態と同様に、そのパネル本体部４２の第１リブ２６と補強板部材４４とを、摩擦撹拌接合手段により接合する際には、補強板部材４４だけでなく、第１リブ２６の突起部２６ｂに対しても、摩擦撹拌接合を行なう不図示の装置の回転する工具のプローブを同時に押し当てることができるようになるので、第１リブ２６の先端部が早期に軟化を開始するようになる。このため、パネル本体部４２の第１リブ２６の先端部と補強板部材４４との接合に用いる摩擦撹拌接合手段による接合のための時間を短縮することができるとともに、接合不良が発生せず確実に接合することができる。
【００５１】
また、本実施の形態に係るパネル４０によれば、前記第１の実施の形態と同様に、パネル本体部４２の第２リブ２８と補強板部材４４とを、摩擦撹拌接合手段により接合する際には、第２リブ２８の突起部２８ｂの先端部が、補強板部材４４における不図示の摩擦撹拌接合を行なう装置のプローブが押し当てられる側の面４４ｃに接近していることにより、第２リブ２８の先端部が早期に軟化を開始するようになる。このため、パネル本体部４２の第２リブ２８の先端部と補強板部材４４との接合に用いる摩擦撹拌接合手段による接合のための時間を短縮することができるとともに、接合不良が発生せず確実に接合することができる。
【００５２】
また、本実施の形態に係るパネル４０によれば、その補強板部材４４の開口部４４ｄの縁部分と、このような開口部４４ｄの縁部分に対応するパネル本体部４２の第２リブ２８とを、摩擦撹拌接合手段により接合する際には、補強板部材４４だけでなく、第２リブ２８の突起部２８ｃに対しても、摩擦撹拌接合を行なう不図示の装置の回転する工具のプローブを同時に押し当てることができるようになるので、第２リブ２８の先端部が早期に軟化を開始するようになる。このため、パネル本体部４２の第２リブ２８の先端部と補強板部材４４との接合に用いる摩擦撹拌接合手段による接合のための時間を短縮することができるとともに、接合不良が発生せず確実に接合することができる。
【００５３】
なお、前記第１から第３の実施の形態に係るパネル２０，３０，４０においては、そのパネル本体部のリブ２６，２８，３６，３８の先端部と、補強板部材２４，３４，４４とが、リブ２６，２８，３６，３８の長さ方向に沿って、摩擦撹拌接合手段により連続的に接合されるようになっていたが、断続的に接合されるようになっていてもよい。また、このように断続的に接合する場合には、接合箇所のそれぞれがスポット状になっていてもよい。
【００５４】
また、前記第２の実施の形態に係るパネル３０においては、図５に示すように、突起部３６ｂ，３８ｂのうち同図中において左右方向に伸びるように形成されていたものが断続的に形成されるようになっていたが、上下方向に伸びるように形成されていた突起部３６ｂ，３８ｂについても、これらが、その長さ方向に断続的に形成されるようになっていてもよい。
【００５５】
さらに、このように断続的に形成される突起部３６ｂ，３８ｂのそれぞれが、その長さ方向の長さが極端に短くなるように形成されることにより、図示しないが、パネル３０の底面図上において、このような断続的に形成される突起部のそれぞれが、スポット状に視認できるようにされていてもよい。
【００５６】
また、前記第１及び第３の実施の形態に係るパネル２０，４０においても、前記第２の実施の形態に係るパネル３０の断続的に形成される突起部３６ｂ，３８ｂと同様に、その突起部２６ｂ，２８ｂ，２８ｃのそれぞれが、その長さ方向に断続的に形成されるようになっていてもよく、さらに、このように断続的に形成される突起部のそれぞれが、その長さ方向の長さが極端に短くなるように形成されることにより、図示しないが、パネル２０，４０の底面図上において、このような断続的に形成される突起部のそれぞれが、スポット状に視認できるようにされていてもよい。
【００５７】
また、前記第１から第３の実施の形態に係るパネル２０，３０，４０においては、そのパネル本体部のリブ２６，２８，３６，３８が格子状に配置されるように形成されていたが、格子状の配置とは異なる他の配置状態となるように形成されていてもよい。
【００５８】
また、前記第１の実施の形態に係るパネル２０においては、そのパネル本体部２２の第１リブ２６のそれぞれの長さ全体にわたり突起部２６ｂが形成される場合と、第２リブ２８のそれぞれの長さ全体にわたり突起部２８ｂが形成される場合とを組合せて説明したが、突起部２６ｂ，２８ｂのいずれか一方又は双方の任意の長さ範囲の部分だけが形成されるようになっていてもよい。他の実施の形態においても同様であってもよい。
【００５９】
また、前記第１の実施の形態に係るパネル２０においては、その突起部２６ｂの突出高さが、補強板部材２４の厚さ分となるように設定されていたが、補強板部材２４の厚さ分よりも若干高くても良いし、又は若干低くてもよい。前記第２の実施の形態に係るパネル３０の突起部３６ｂ，３８ｂ、及び前記第３の実施の形態に係るパネル４０の突起部２６ｂ，２８ｃも同様である。
【００６０】
また、前記第１から第３の実施の形態に係るパネル２０，３０，４０は、従来のパネル２と同様に、そのパネル本体部２２，３２，４２がアルミニウム製のダイカスト製品であって、補強板部材２４，３４，４４がアルミニウム製の板状の素材から切り取って形成したものであるため、パネル本体部２２，３２，４２と補強板部材２４，３４，４４とは互いの厳密な材質（金属組成）が異なることとなっているが、例えば、補強板部材２４，３４，４４をダイカスト製品とすることにより、互いの材質を共通化するようにしてもよい。
【００６１】
逆に、パネル本体部２２，３２，４２と補強板部材２４，３４，４４は、これらが摩擦撹拌接合手段により互いに接合可能なものである限り、互いに異なる材質で形成されるようになっていてもよい。
【００６２】
また、前記第１から第３の実施の形態においては、本発明をそれらの実施の形態に係るフリーアクセスフロア用パネル２０，３０，４０のそれぞれに適用した場合について説明したが、上記第１から第３の実施の形態パネル２０，３０，４０以外の他のフリーアクセスフロア用パネルについても、そのパネル本体部と補強板部材とを摩擦撹拌接合手段により接合するような場合には、本発明を適用することができるということはいうまでもない。
【図面の簡単な説明】
【００６３】
【図１】本発明の第１の実施の形態に係るフリーアクセスフロア用パネル２０を示す底面図である。
【図２】図１に示すフリーアクセスフロア用パネル２０のＢ−Ｂ線矢視断面図である。
【図３】図２に示すフリーアクセスフロア用パネル２０の右端部を示す部分拡大断面図である。
【図４】図２に示すフリーアクセスフロア用パネル２０の第２リブ２８の周辺部を示す部分拡大断面図である。
【図５】本発明の第２の実施の形態に係るフリーアクセスフロア用パネル３０を示す底面図である。
【図６】図５に示すフリーアクセスフロア用パネル３０のＣ−Ｃ線矢視断面図である。
【図７】図６に示すフリーアクセスフロア用パネル３０の第２リブ３８の周辺部を示す部分拡大断面図である。
【図８】図６に示すフリーアクセスフロア用パネル３０の第１リブ３６の周辺部を示す部分拡大断面図である。
【図９】本発明の第３の実施の形態に係るフリーアクセスフロア用パネル４０を示す底面図である。
【図１０】図９に示すフリーアクセスフロア用パネル４０のＥ−Ｅ線矢視断面図である。
【図１１】従来のフリーアクセスフロア用パネル２を示す底面図である。
【図１２】図１１に示す従来のフリーアクセスフロア用パネル２のＡ−Ａ線矢視断面図である。
【符号の説明】
【００６４】
２  フリーアクセスフロア用パネル
４  平板部
６  リブ
１２  パネル本体部
１４  補強板部材
２０  フリーアクセスフロア用パネル
２２  パネル本体部
２４  補強板部材
２４ａ  面
２４ｂ  溝
２４ｃ  面
２６  第１リブ
２６ａ  水平接触面
２６ｂ  突起部
２８  第１リブ
２８ａ  水平接触面
２８ｂ，２８ｃ  突起部
３０  フリーアクセスフロア用パネル
３２  パネル本体部
３４  補強板部材
３４ｂ  溝孔
３６  第１リブ
３６ａ  水平接触面
３６ｂ  突起部
３８  第２リブ
３８ａ  水平接触面
３８ｂ  突起部
４０  フリーアクセスフロア用パネル
４２  パネル本体部
４４  補強板部材
４４ｃ  面
４４ｄ  開口部
【図１】
2010101063.tif 000003
【図２】
2010101063.tif 000004
【図３】
2010101063.tif 000005
【図４】
2010101063.tif 000006
【図５】
2010101063.tif 000007
【図６】
2010101063.tif 000008
【図７】
2010101063.tif 000009
【図８】
2010101063.tif 000010
【図９】
2010101063.tif 000011
【図１０】
2010101063.tif 000012
【図１１】
2010101063.tif 000013
【図１２】
2010101063.tif 000014